(57)【要約】【目的】従来にないオリジナルなデザインを郵便切手の券面上に施した新たな郵便切手を発行し、それを専用の自動販売機による販売方式に適したカプセルに入れて販売する新規な商品について提案する。【構成】１種類または複数種類のオリジナルデザインを印刷した所定券面金額の郵便切手２の１枚または複数枚をコイン式自動販売機３で用いる物品収容カプセル１に封入している自動販売機で販売するカプセルに入ったオリジナルデザイン切手。【選択図】　　　　　　図１
2004005236.tif 000002
【特許請求の範囲】
【請求項１】
１種類または複数種類のオリジナルデザインを印刷した所定券面金額の郵便切手の１枚または複数枚をコイン式自動販売機で用いる物品収容カプセルに封入していることを特徴とする自動販売機で販売するカプセルに入ったオリジナルデザイン切手。
【請求項２】
複数種類の各オリジナルデザイン切手の印刷枚数に差を設けて稀少性を持たせることを特徴とする請求項１に記載の自動販売機で販売するカプセルに入ったオリジナルデザイン切手。
【請求項３】
物品収容カプセル内にキャラクターフィギュアやキャラクターカード、小玩具などの物品を併せて封入していることを特徴とする請求項１または請求項２に記載の自動販売機で販売するカプセルに入ったオリジナルデザイン切手。
【請求項４】
切手券面上にバーコードリーダーで読み取れるバーコード情報をも印刷していることを特徴とする請求項１〜請求項３の何れか１つに記載の自動販売機で販売するカプセルに入ったオリジナルデザイン切手。
【発明の詳細な説明】
【０００１】
【発明の属する技術分野】
本発明は、オリジナルなデザインを券面上に施した郵便切手を発行し、それを自動販売機による販売方式に適したカプセルに入れて販売する新規な商品について提案するものである。
【０００２】
【従来の技術】
郵便切手は、従来から郵便事業を行う公的機関がその券面デザインや券面金額を選定し、所定の枚数を発行するものとして取扱われてきているが、美的にデザインが優れたものや発行枚数が少ない記念切手、印刷ミスが見過ごされて市場に出回ってしまった稀少切手などは、単に手紙に貼付けて郵便料金支払のために用いるのではなく、収集家のコレクションの対象とされている。
【０００３】
また、郵便切手の販売方法は郵便局窓口での販売や特定の許可を得た店舗での販売、稀少性が少なく券面金額の低いものの少量販売については郵便局近傍などに設置された専用自動販売機による販売も行われている。
【０００４】
【発明が解決しようとする課題】
しかし、郵便事業に対する規制緩和が進展することで、郵便切手の発行も偽造などの不正行為に対する安全性が確保されるのであれば私企業や一般私人の要望に応じたオリジナルデザインを採用して所定枚数を発行するといったことが実現される可能性が生じてきている。
【０００５】
このような私的要望に応えたオリジナルデザインの郵便切手は、個人の肖像写真などを利用した個人的記念切手としての需要もあるが（事実、諸外国ではこのような記念切手が適当な手数料を支払うことで発行可能となっている）、優れたオリジナルデザインを施して発行枚数を規制することで従来の切手よりも更にコレクション性の優れたものとして需要者に認知される可能性も存在している。
【０００６】
しかしながら、現時点ではこのような私的要望に応えた郵便切手の発行は我が国では行われておらず、したがって、オリジナルデザインによるコレクション性に着目した販売方法の工夫なども何等提案されてはいない。
【０００７】
【課題を解決するための手段】
本発明は、上記したような従来技術における課題を解消することについて、実験と検討を繰り返し行い創案されたものであって、切手券面上に複数のオリジナルデザインを施したものを所定枚数発行することで適当な稀少性を生じさせ、しかも物品収容用カプセルに入れてコイン式自動販売機によって販売することで所望の切手を入手できるか否かに偶然性が左右するものとし、よりコレクション性を高めたオリジナルデザイン切手の販売を実現しようとするものであって、具体的には以下の如くである。
【０００８】
（１）　　１種類または複数種類のオリジナルデザインを印刷した所定券面金額の郵便切手の１枚または複数枚をコイン式自動販売機で用いる物品収容カプセルに封入していることを特徴とする自動販売機で販売するカプセルに入ったオリジナルデザイン切手。
【０００９】
（２）　複数種類の各オリジナルデザイン切手の印刷枚数に差を設けて稀少性を持たせることを特徴とする前記（１）項に記載の自動販売機で販売するカプセルに入ったオリジナルデザイン切手。
【００１０】
（３）　物品収容カプセル内にキャラクターフィギュアやキャラクターカード、小玩具などの物品を併せて封入していることを特徴とする前記（１）項または（２）項に記載の自動販売機で販売するカプセルに入ったオリジナルデザイン切手。
【００１１】
（４）　切手券面上にバーコードリーダーで読み取れるバーコード情報をも印刷していることを特徴とする前記（１）項〜（３）項の何れか１つに記載の自動販売機で販売するカプセルに入ったオリジナルデザイン切手。
【００１２】
【作用】
１種類または複数種類のオリジナルデザインを印刷した所定券面金額の郵便切手の１枚または複数枚をコイン式自動販売機で用いる物品収容カプセルに封入していることで、多種類の独自デザインを施した郵便切手を一定金額以上であって複数種類の券面金額のものとして物品収容カプセルに封入して自動販売機により販売し、購入者がどの種類の切手を入手できるかは偶然性に支配されるものとして販売することができる。
【００１３】
複数種類の各オリジナルデザイン切手の印刷枚数に差を設けて稀少性を持たせることで、上記のように偶然性に左右される販売方式においてさらに希少性を有する切手の入手が困難なものとなり、したがって、購入者のコレクション性をより満たす販売方法が可能となる。
【００１４】
物品収容カプセル内にキャラクターフィギュアやキャラクターカード、小玩具などの物品を併せて封入していることで、このようなコレクション性の高い物品と相俟って一層購入者の購買意欲を刺激するオリジナルデザイン切手の販売形態が採れるようになる。
【００１５】
切手券面上にバーコードリーダーで読み取れるバーコード情報をも印刷していることで、例えば、ゲーム機やパソコンに備え付けられるバーコードリーダーを用いて特定のバーコード情報を読み取るものとして、各種ゲームなどに用いて多様な遊び方を実現するための材料として利用することが可能となる。
【００１６】
【発明の実施の形態】
上記した本発明の具体的な実施形態の若干例を添付図面に示すところに従って説明すると以下の通りである。
【００１７】
図１は、本発明の実施形態についてその関係を概念図的に示したものである。すなわち、本発明は、適当な大きさ・形状とされた物品収容カプセル１内にオリジナルなデザインを施した郵便切手２を収容して専用コイン式自動販売機３によって需要者に販売することを提案するものである。
【００１８】
このカプセル１は、プラスチック樹脂などで形成されたもので２分割可能とすることなどで収容した各種の小物品を適宜に取出せるようにするもので、具体的には児童向きの小玩具などを入れて１コイン又は２コイン程度で販売する自動販売機（ガチャポンなどと通称されている）で採用されているカプセルと同様のものである。
【００１９】
このような専用コイン式動販売機３は、通常は収容されているカプセル１を外部から観察できるようにされており、購入者はカプセル１の種類を確認しながら好みの小玩具等を入手できるように期待して購入するのであるが、望み通りのカプセル１を入手できるか否かは偶然性に左右され、この点から好みの小玩具等が入ったカプセル１を入手するまで繰返し購入したり、シリーズ物の小玩具をすべて入手するために購入を繰り返すといったように購入意欲を刺激される販売形態として実現されている。
【００２０】
したがって、本発明においても購入者が外部からオリジナルデザイン郵便切手２の種類を確認できるように、カプセル１の少なくとも１部分を透明素材によって形成することが望ましいが、何が入手できるかをまったく確認できないようにカプセル１全体を不透明な素材で形成したり、専用コイン式自動販売機３自体を外部から収容したカプセル１が観察できないものとしても構わない。
【００２１】
本発明におけるオリジナルデザインの郵便切手２は、これを発行する企業や個人がそのデザインの種類や券面金額、それぞれの発行枚数などを適宜に決定して必要な手続きを経て正式に郵便切手として発行することを想定している。
したがって、採用するオリジナルデザインとしてはアニメーション番組や漫画のキャラクターをシリーズ物などとして採用したり、その他にも従来は郵便切手の券面デザインとして採用されていなかったものを様々に採用することが可能となる。
【００２２】
しかも、券面金額も適宜に決定できるので、例えば、同じオリジナルデザインであっても５０円、８０円、１００円といった複数の券面金額の郵便切手２として発行させることができる。また、採用する複数のオリジナルデザインの種類に応じてその発行枚数を管理することもできるので、特定のオリジナルデザインに関しては入手が困難な稀少性を有するものとして発行することも可能である。
【００２３】
本発明によるオリジナルデザイン郵便切手２をカプセル１に入れて専用自動販売機３によって、例えば、１００円で販売する場合、郵便切手２の券面金額は５０円または８０円など１００円以下の金額であっても構わない。オリジナルデザイン郵便切手２を発行するためにコストがかかっていることはもちろん、購入者は券面上のオリジナルデザイン自体に価値を認めて購入するものであるから、郵便切手２の券面金額が販売金額を下回っていても不都合はないものである。
【００２４】
もちろん、この場合でも僅かな数で１５０円とか２００円という券面金額のオリジナルデザイン郵便切手２を含ませるものとしてよく、このような購入金額より高い券面金額の郵便切手２を入手できる可能性の存在によって購入者の購買意欲を刺激するものとして構わない。特に採用しているオリジナルデザイン自体に稀少性を持たせていない場合には、高額の券面金額によって購入者が満足を得る可能性に期待を寄せる形態の販売が可能である。
【００２５】
また、本発明では上記したように採用するオリジナルデザイン毎に発行する郵便切手２の枚数を適宜に管理することができるので、特定のオリジナルデザインの郵便切手２を他と比べて発行枚数の少ない稀少性のあるものとして実施することが可能である。したがって、このような手段によって購入者のコレクション性に訴える販売形態を採ることも本発明によって実現可能である。
【００２６】
さらに、本発明では一般の企業や個人が所望デザインの郵便切手２を適宜に発行可能となることを前提としているが、この場合、発行された稀少性のあるオリジナルデザイン切手２の券面デザインをそのまま利用して第３者が別個に郵便切手２を発行する懸念がある。しかし、このようなことは著作権法違反として適切に阻止することが可能であると理解される。
【００２７】
図２は、上記してきたような本発明の応用的な実施形態についてその幾つかを説明しているものである。
すなわち、カプセル１に収容されるのはオリジナルデザインの郵便切手２に限られる必要はなく、キャラクターフィギュア４やキャラクターカード５、小玩具６などと併せて収容するものとして何ら不都合はない。特に、採用しているオリジナルデザインがアニメーションキャラクターのシリーズ物などの場合には、併せて収容するキャラクターフィギュア４やキャラクターカード５も同じデザインや関連したデザインのものとしてセットにすれば購入者のコレクション性をより満足させるものとなし得るし、郵便切手２の券面金額が購入金額より低額であっても不満をまったく感じることがないものとすることができる。
【００２８】
図３は、本発明のオリジナルデザイン郵便切手２にバーコード情報７も併せて印刷表示する場合の応用形態を表現したものである。
すなわち、オリジナルデザインとしてアニメーションキャラクターのシリーズ物などを採用する場合には、該アニメーションキャラクターを用いた家庭ゲーム機用ゲームが市販されている場合も有り得るところであり、該ゲームにおいてバーコードリーダーで読み取れるバーコード情報７を利用してゲーム自体の娯楽性を様々に高めるような工夫が行われ得るので、このような場合に対処しようとするものである。
【００２９】
この場合にオリジナルデザイン郵便切手２の券面上に印刷されるバーコード情報７も複数種類のものを採用することが当然に可能であり、これらの中で多数採用するバーコード情報７と少数しか採用しないバーコード情報７というように適宜な管理を行うことも可能である。このようにすることで、ゲーム条件に合わせて価値の高い稀少なバーコード情報７とそれ以外のものというような分け方をすることができ、ゲームに対する娯楽性を高める要素として利用することが可能となる。
【００３０】
【発明の効果】
以上説明したような本発明によるならば、オリジナルなデザインを施した郵便切手を発行し、これを専用の自動販売機で販売する形態のものとして実施することで、需要者のコレクション性などを刺激して購入意欲を高めると共に市販ゲームなどと関連しその娯楽性向上に役立つ商品としても展開できるものであって、市場に新たな需要を喚起するものであり、工業的にその価値が高い発明であると理解される。
【図面の簡単な説明】
【図１】本発明の実施形態を概念的に説明する図面である。
【図２】本発明の応用的実施形態の若干例を示す図面である。
【図３】本発明による更に別の実施形態を示す図面である。
【符号の説明】
１　物品収容カプセル
２　オリジナルデザイン郵便切手
３　専用コイン式自動販売機
４　キャラクターフィギュア
５　キャラクターカード
６　小玩具
７　バーコード情報
【図１】
2004005236.tif 000003
【図２】
2004005236.tif 000004
【図３】
2004005236.tif 000005